【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
ウイルス起源、細菌起源、真菌起源または卵菌起源の病原体に対して抵抗性である植物であって、前記病原体に対して抵抗性でない植物と比較して、ホモセリンのレベルの増大を有することを特徴とする植物。
【請求項２】
病原体が卵菌門の生物である、請求項１に記載の植物。
【請求項３】
病原体が、シロサビキン（Ａｌｂｕｇｏ）属、アファノミセス（Ａｐｈａｎｏｍｙｃｅｓ）属、バシジオホラ（Ｂａｓｉｄｉｏｐｈｏｒａ）属、ブレミア（Ｂｒｅｍｉａ）属、ヒアロペロノスポラ（Ｈｙａｌｏｐｅｒｏｎｏｓｐｏｒａ）属、パキメトラ（Ｐａｃｈｙｍｅｔｒａ）属、パラペロノスポラ（Ｐａｒａｐｅｒｏｎｏｓｐｏｒａ）属、ペロファシア（Ｐｅｒｏｆａｓｃｉａ）属、ペロノフィトラ（Ｐｅｒｏｎｏｐｈｙｔｈｏｒａ）属、ツユカビ（Ｐｅｒｏｎｏｓｐｏｒａ）属、ペロノスクレロスポラ（Ｐｅｒｏｎｏｓｃｌｅｒｏｓｐｏｒａ）属、フィチウム（Ｐｈｙｔｉｕｍ）属、フィトフトラ（Ｐｈｙｔｏｐｈｔｈｏｒａ）属、タンジクツユカビ（Ｐｌａｓｍｏｐａｒａ）属、プロトブレミア（Ｐｒｏｔｏｂｒｅｍｉａ）属、ニセツユカビ（Ｐｓｅｕｄｏｐｅｒｏｎｏｓｐｏｒａ）属、ササラビョウキン（Ｓｃｌｅｒｏｓｐｏｒａ）属、ビエンノチア（Ｖｉｅｎｎｏｔｉａ）属の種である、請求項２に記載の植物。
【請求項４】
植物および病原体が、レタスにおけるレタスべと病菌（Ｂｒｅｍｉａ  ｌａｃｔｕｃａｅ）、ホウレンソウにおけるホウレンソウべと病菌（Ｐｅｒｏｎｏｓｐｏｒａ  ｆａｒｉｎｏｓａ）、ウリ科のメンバー（例えば、キュウリ）におけるキュウリべと病菌（Ｐｓｅｕｄｏｐｅｒｏｎｏｓｐｏｒａ  ｃｕｂｅｎｓｉｓ）、タマネギにおけるタマネギべと病菌（Ｐｅｒｏｎｏｓｐｏｒａ  ｄｅｓｔｒｕｃｔｏｒ）、アブラナ科のメンバー（例えば、キャベツ）におけるアブラナべと病菌（Ｈｙａｌｏｐｅｒｏｎｏｓｐｏｒａ  ｐａｒａｓｉｔｉｃａ）、ブドウにおけるブドウべと病菌（Ｐｌａｓｍｏｐａｒａ  ｖｉｔｉｃｏｌａ）、トマトおよびジャガイモにおける疫病菌（Ｐｈｙｔｏｐｈｔｈｏｒａ  ｉｎｆｅｓｔａｎｓ）、ならびに、ダイズにおけるダイズ茎疫病菌（Ｐｈｙｔｏｐｈｔｈｏｒａ  ｓｏｊａｅ）から選択される、請求項２または３に記載の植物。
【請求項５】
コードされた酵素のホモセリンキナーゼ活性に影響を及ぼす変異をそのホモセリンキナーゼ遺伝子に有する、請求項１〜４のいずれか１項に記載の植物。
【請求項６】
ホモセリンキナーゼ遺伝子における変異が、コードされたタンパク質におけるアミノ酸置換の原因となる、請求項５に記載の植物。
【請求項７】
コードされたホモセリンキナーゼの発現に影響を及ぼす変異をそのホモセリンキナーゼ遺伝子の調節配列において有する、請求項１〜４のいずれか１項に記載の植物。
【請求項８】
コードされたホモセリンキナーゼの発現に影響を及ぼす、ホモセリンキナーゼ遺伝子に基づく遺伝子サイレンシング構築物をそのゲノムに有する、請求項１〜４のいずれか１項に記載の植物。
【請求項９】
植物における内因性ホモセリンのレベルの増大をもたらす、アスパラギン酸経路におけるアップレギュレーションされた遺伝子を有する、請求項１〜４のいずれか１項に記載の植物。
【請求項１０】
遺伝子が、配列番号９９で特定されるシロイヌナズナ属（Ａｒａｂｉｄｏｐｓｉｓ）遺伝子Ａｔ２ｇ１７２６５（ＮＭ＿１２７２８１、ＧＩ番号１８３９８３６２）のオルソログ遺伝子である、請求項５〜８のいずれか１項に記載の植物。
【請求項１１】
遺伝子が、ＧＩ番号３９１０４５７１、  ＧＩ番号５５９３５７６８、  ＧＩ番号２８６１８６７５、  ＧＩ番号５５９３５７７０、  ＧＩ番号２８６１９４５５、  ＧＩ番号１０８４６８１０、  ＧＩ番号１７４０１２６９、  ＧＩ番号８２８３４７２、  ＧＩ番号１６３４８９６５、  ＧＩ番号７２８５２８６、  ＧＩ番号５８０２４６６５、  ＧＩ番号５８０１７６４７、  ＧＩ番号２０４４９３５７、  ＧＩ番号１６１０５３３９、  ＧＩ番号３７９９６９７９、  ＧＩ番号３７９９６４６０、  ＧＩ番号６０７２７８６、
ＧＩ番号２６０５７２３５、  ＧＩ番号６４５５７７５、  ＧＩ番号６０７２７２４、
ＧＩ番号９２０３５８７、  ＧＩ番号７４４０７０９８、  ＧＩ番号７４４０２４４９、  ＧＩ番号７４４０２１１５、  ＧＩ番号７４３８８６７ｏ、  ＧＩ番号３９８８０６８５、  ＧＩ番号３９８５９０２６、  ＧＩ番号３９８６４８５１、  ＧＩ番号３９８６４８５５、  ＧＩ番号３９８５９０２４、  ＧＩ番号３９８６４８５３、  ＧＩ番号３９８８０６８３、  ＧＩ番号３９８６４８４９、  ＧＩ番号５０９１６１７１、  ＧＩ番号３２９７０５３７、  ＧＩ番号６２７０８６６０、  ＧＩ番号６２７１０６３６、  ＧＩ番号６２７０８０５２、  ＧＩ番号６２７０９３９５、  ＧＩ番号６２７１０７６１、  ＧＩ番号６２７０８５３５、  ＧＩ番号６２７０８５３４、  ＧＩ番号６２７１１３１８、  ＧＩ番号６２７０７９２４、  ＧＩ番号６２７１０７３３、  ＧＩ番号６２７０９６０１、  ＧＩ番号６２７０９０６４、  ＧＩ番号６２７０８８３４、  ＧＩ番号  ７０７８０６２６、  ＧＩ番号６７４９０６３、  ＧＩ番号４８９３３５３２、  ＧＩ番号３４３５４９８０、  ＧＩ番号６７７０６２４１、  ＧＩ番号１７２４３４６５、  ＧＩ番号３４３４９１３６、  ＧＩ番号６６９８１４８４、  ＧＩ番号４８９３２５９５、  ＧＩ番号６６６８９２０８、  ＧＩ番号４８９３３４５０、  ＧＩ番号３４３５０２３６、  ＧＩ番号６７７０６３２３、  ＧＩ番号４８９３２６７８、  ＧＩ番号６６９８１３９９、  ＧＩ番号３４３５４８５０、  Ｐｏｐｕｌｕｓ  ｔｒｉｃｈｏｃａｒｐａ  １のゲノム  ｖ１．０，  ＬＧ＿ＩＸ，  １４９３３９−１４８２４２、  Ｐｏｐｕｌｕｓ  ｔｒｉｃｈｏｃａｒｐａ  ２のゲノム  ｖ１．０，  ｓｃａｆｆｏｌｄ＿６６，  １４１５９３５−１４１７０３２、  ＧＩ番号６６８３８９６６、  ＧＩ番号６１２３８３６１、  ＧＩ番号３９８０４３１５、  ＧＩ番号３９８０１７７６、  ＧＩ番号９２５００５２、
ＧＩ番号３９８３２３４１、  ＧＩ番号２１９１７８４８、  ＧＩ番号９２４９８７６、  ＧＩ番号３９８１５０５０、  ＧＩ番号３９８０４９８５、  ＧＩ番号３９８０４９
８７、  ＧＩ番号３９８２５３８４、  ＧＩ番号３９８３２３４２、  ＧＩ番号６６８３８９６７、  ＧＩ番号９２５０３９４、  ＧＩ番号３９８０４３１７、  ＧＩ番号３９８２５３８５、  ＧＩ番号２１３７５０７２、  ＧＩ番号３９８１３３５３、  ＧＩ番号３９７９３３６１、  ＧＩ番号３９７９３３５９、  ＧＩ番号３９８１３３５２、  ＧＩ番号７６０２１２３７、  ＧＩ番号７６９１３３０６、  ＧＩ番号７１４４６１６２、  ＧＩ番号７１４４９７２０、  ＧＩ番号７８１１７５７６、  ＧＩ番号９１０４８４８６、
ＧＩ番号７１４３９０９５、  ＧＩ番号７６９３６５４６、  ＧＩ番号７６０１２２４６、  ＧＩ番号７８０８５４１９、  ＧＩ番号７１７６６８４３、  ＧＩ番号７６９２４７９５、  ＧＩ番号７１４４９０６７、  ＧＩ番号９１８７５６５２、  ＧＩ番号７１４５０１７５、  ＧＩ番号７８１０３５５１、  ＧＩ番号７８０９０５５５、  ＧＩ番号７８１０４６５４、  ＧＩ番号７６９２６２５１、  ＧＩ番号７８１１１５６８、  ＧＩ番号７１７７３３５３、  ＧＩ番号７１４２５９５２、  ＧＩ番号９３２８２４５８、  ＧＩ番号７８０７４１９９、  ＧＩ番号７６２９３３２８、  ＧＩ番号７８０７５４６２、
ＧＩ番号９１０５４７５０、  ＧＩ番号８６４６９２９５、  ＧＩ番号７４２４３２１８、  ＧＩ番号７４２４２８９９、  ＧＩ番号１０１３８４７６４、  ＧＩ番号９１０５４７５０、  ＧＩ番号７１４４０４２６、  ＧＩ番号７８１２１７８０、  ＧＩ番号７８１０３５５０、  ＧＩ番号８６４６９２９４、  ＧＩ番号９１８７７７７７、  ＧＩ番号６７０１４４４１、  ＧＩ番号７６９２４７９４、  ＧＩ番号７６０２１２３６、  ＧＩ番号７１４４６１６１、  ＧＩ番号７８１１０９６０、  ＧＩ番号７８０７４７３６、  ＧＩ番号７１４２８０４３、  ＧＩ番号８６４６９０５２、  ＧＩ番号７１４４０４２５、  ＧＩ番号７８１２１７７９、  ＧＩ番号７８１０４６５３、  ＧＩ番号３７４００９２０、  ＧＩ番号７８０７４１９８、  ＧＩ番号７１４４９７１９、  ＧＩ番号５８２１３７３６、  ＧＩ番号７３３３２４５、  ＧＩ番号４３８６６８５、  配列番号１０９、
配列番号１０１、  配列番号１０３、  配列番号１０７、  および、  配列番号１０５からなる群から選択されるホモセリンキナーゼ遺伝子である、請求項５〜８のいずれか１項に記載の植物。
【請求項１２】
遺伝子が、配列番号１０１で特定されるヌクレオチド配列および配列番号１０２で特定されるアミノ酸配列を有するレタス（Ｌａｃｔｕｃａ  ｓａｔｉｖａ）のホモセリンキナーゼ遺伝子である、請求項５〜８のいずれか１項に記載の植物。
【請求項１３】
遺伝子が、配列番号１０３で特定されるヌクレオチド配列および配列番号１０４で特定されるアミノ酸配列を有するブドウ（Ｖｉｔｉｓ  ｖｉｎｉｆｅｒａ）のホモセリンキナーゼ遺伝子である、請求項５〜８のいずれか１項に記載の植物。
【請求項１４】
遺伝子が、配列番号１０５で特定されるヌクレオチド配列および配列番号１０６で特定されるアミノ酸配列を有するキュウリ（Ｃｕｃｕｍｉｓ  ｓａｔｉｖｕｓ）のホモセリンキナーゼ遺伝子である、請求項５〜８のいずれか１項に記載の植物。
【請求項１５】
遺伝子が、配列番号１０７で特定されるヌクレオチド配列および配列番号１０８で特定されるアミノ酸配列を有するホウレンソウ（Ｓｐｉｎａｃｉａ  ｏｌｅｒａｃｅａ）のホモセリンキナーゼ遺伝子である、請求項５〜８のいずれか１項に記載の植物。
【請求項１６】
遺伝子が、配列番号１０９で特定されるヌクレオチド配列および配列番号１１０で特定されるアミノ酸配列を有するトマト（Ｓｏｌａｎｕｍ  ｌｙｃｏｐｅｒｓｉｃｕｍ）のホモセリンキナーゼ遺伝子である、請求項５〜８のいずれか１項に記載の植物。
【請求項１７】
植物における内因性ホモセリンのレベルを増大させることを含む、ウイルス起源、細菌起源、真菌起源または卵菌起源の病原体に対して抵抗性である植物を得るための方法。
【請求項１８】
植物における内因性ホモセリンのレベルを増大させることが植物へのホモセリンの外部からの投与によって達成される、請求項１７に記載の方法。
【請求項１９】
ホモセリンが、ホモセリンの噴霧または浸透により実生を処理することによって植物に投与される、請求項１８に記載の方法。
【請求項２０】
植物における内因性ホモセリンのレベルを増大させることが植物のホモセリンキナーゼ遺伝子の変異によって達成される、請求項１７に記載の方法。
【請求項２１】
変異が、より低いホモセリンキナーゼ活性をもたらす１つまたは複数のアミノ酸変化を生じさせる、請求項２０に記載の方法。
【請求項２２】
変異が、特に変異原または放射線による植物の変異誘発処理によってもたらされる、請求項２０または２１に記載の方法。
【請求項２３】
植物における内因性ホモセリンのレベルを増大させることが、植物のホモセリンキナーゼ遺伝子の発現を低下させることによって達成される、請求項１７に記載の方法。
【請求項２４】
植物のホモセリンキナーゼ遺伝子の発現を低下させることが遺伝子サイレンシングまたはＲＮＡｉによって達成される、請求項２３に記載の方法。
【請求項２５】
植物のホモセリンキナーゼ遺伝子の発現を低下させることが、プロモーター領域、ターミネーター領域またはイントロンにおける調節エレメントの変異誘発によって達成される、請求項２３に記載の方法。
【請求項２６】
植物のホモセリンキナーゼ遺伝子の発現を低下させることが、ホモセリンキナーゼ遺伝子のリプレッサータンパク質を過剰発現させることによって達成される、請求項２３に記載の方法。
【請求項２７】
ホモセリンキナーゼ遺伝子が３５Ｓプロモーターから発現される、請求項２６に記載の方法。
【請求項２８】
植物のホモセリンキナーゼ遺伝子の発現を低下させることが、ホモセリンキナーゼの活性化タンパク質または調節タンパク質をコードする植物遺伝子のサイレンシングまたは変異によって達成される、請求項２３に記載の方法。
【請求項２９】
植物における内因性ホモセリンのレベルを増大させることが、アスパラギン酸経路における変化を誘導することによって達成される、請求項１７に記載の方法。
【請求項３０】
変異させられるホモセリンキナーゼ遺伝子が、配列番号９９で特定されるシロイヌナズナ属遺伝子Ａｔ２ｇ１７２６５（ＮＭ＿１２７２８１、ＧＩ番号１８３９８３６２）のオルソログ遺伝子である、請求項２１〜２９に記載の方法。
【請求項３１】
オルソログ遺伝子が、配列番号１０１で特定されるヌクレオチド配列および配列番号１０２で特定されるアミノ酸配列を有するレタスのホモセリンキナーゼ遺伝子である、請求項３０に記載の方法。
【請求項３２】
オルソログ遺伝子が、配列番号１０３で特定されるヌクレオチド配列および配列番号１０４で特定されるアミノ酸配列を有するブドウのホモセリンキナーゼ遺伝子である、請求項３０に記載の方法。
【請求項３３】
オルソログ遺伝子が、配列番号１０５で特定されるヌクレオチド配列および配列番号１０６で特定されるアミノ酸配列を有するキュウリのホモセリンキナーゼ遺伝子である、請求項３０に記載の方法。
【請求項３４】
オルソログ遺伝子が、配列番号１０７で特定されるヌクレオチド配列および配列番号１０８で特定されるアミノ酸配列を有するホウレンソウのホモセリンキナーゼ遺伝子である、請求項３０に記載の方法。
【請求項３５】
オルソログ遺伝子が、配列番号１０９で特定されるヌクレオチド配列および配列番号１１０で特定されるアミノ酸配列を有するトマトのホモセリンキナーゼ遺伝子である、請求項３０に記載の方法。
【請求項３６】
酵素活性の低下を有するホモセリンキナーゼをコードする変異植物ＨＳＫ遺伝子。
【請求項３７】
ｄｍｒ１対立遺伝子のｄｍｒ１−１、ｄｍｒ１−２、ｄｍｒ１−３、ｄｍｒ１−４およびｄｍｒ１−５からなる群から選択される、請求項３６に記載の変異植物ＨＳＫ遺伝子。